【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
ネットワークを介して互いに接続されたＷｅｂアプリケーションサーバと、ジョブ管理サーバと、ジョブ処理装置とを含むシステムであって、
前記ジョブ処理装置は、ユーザが前記Ｗｅｂアプリケーションサーバにより提供されるＷｅｂアプリケーションを利用するための利用手段を備え、
前記Ｗｅｂアプリケーションサーバは、
前記利用手段を介して前記Ｗｅｂアプリケーションが利用され、ジョブの発行の要求がなされた場合、所定の情報を付加してジョブを発行する発行手段と、
前記発行したジョブを前記ジョブ管理サーバに送信する送信手段と
を有し、
前記ジョブ管理サーバは、
受信したジョブに前記所定の情報が付加されている場合、第１のジョブキューに当該ジョブを登録し、前記ジョブに前記所定の情報が付加されていない場合、前記第１のジョブキューよりも優先順位が低い第２のジョブキューに当該ジョブを登録する登録手段と、
ジョブキューに登録されたジョブを前記ジョブ処理装置へ送信する手段と、
を有し、
前記ジョブ処理装置は、
前記ジョブキューに登録されたジョブを処理する処理手段を有し、
前記処理手段は、前記第２のジョブキューに登録されたジョブより、前記第１のジョブキューに登録されたジョブを優先的に処理する、
ことを特徴とするシステム。
【請求項２】
前記ジョブ管理サーバは、ジョブがジョブキューに登録された際に前記ジョブ処理装置へ通知を行う通知手段を更に有し、
前記通知手段は、登録されたジョブに前記所定の情報が付加されている場合、前記ジョブ処理装置への通知を行わないことを特徴とする請求項１に記載のシステム。
【請求項３】
前記ジョブ処理装置は、
前記Ｗｅｂアプリケーションサーバが発行したジョブの識別子を取得する取得手段と、
前記識別子を用いて、前記ジョブ管理サーバにジョブの要求を行う要求手段と
を更に有し、
前記処理手段は、前記要求手段により要求されたジョブを処理することを特徴とする請求項１または２に記載のシステム。
【請求項４】
前記要求手段は、ユーザが前記利用手段を用いて前記Ｗｅｂアプリケーションを利用している間、前記第１のジョブキューに登録されたジョブのみを要求することを特徴とする請求項３に記載のシステム。
【請求項５】
前記要求手段は、ユーザが前記利用手段を用いた前記Ｗｅｂアプリケーションの利用が終了した後に、ジョブを要求することを特徴とする請求項３に記載のシステム。
【請求項６】
前記第１のジョブキューは、複数のジョブを登録でき、
前記登録手段は、発行された順にジョブを登録することを特徴とする請求項１乃至５のいずれか一項に記載のシステム。
【請求項７】
登録するジョブの種類に応じて、複数のジョブキューの優先順位を定義できることを特徴とする請求項１乃至６のいずれか一項に記載のシステム。
【請求項８】
前記第１のジョブキューは、ジョブの種類に関わらず登録することができることを特徴とする請求項１乃至７のいずれか一項に記載のシステム。
【請求項９】
前記ジョブの種類は、印刷ジョブ、もしくは、読取ジョブであることを特徴とする請求項７または８に記載のシステム。
【請求項１０】
前記ジョブ処理装置に接続された情報処理装置が備えるＷｅｂブラウザを当該ジョブ処理装置の利用手段として用いることを特徴とする請求項１乃至９のいずれか一項に記載のシステム。
【請求項１１】
Ｗｅｂアプリケーションが利用され、ジョブの発行の要求がなされた場合、所定の情報を付加してジョブを発行するＷｅｂアプリケーションサーバと、ジョブ処理装置とにネットワークを介して接続されたジョブ管理サーバであって、
受信したジョブに、前記所定の情報が付加されている場合、第１のジョブキューに当該ジョブを登録し、受信したジョブに前記所定の情報が付加されていない場合、前記第１のジョブキューよりも優先順位が低い第２のジョブキューに当該ジョブを登録する登録手段と、
ユーザが前記ジョブ処理装置を介して前記Ｗｅｂアプリケーションを利用している間、前記ジョブ処理装置からの要求に従い、前記第１のジョブキューに登録されたジョブを送信する送信手段と、
を有することを特徴とするジョブ管理サーバ。
【請求項１２】
Ｗｅｂアプリケーションが利用され、ジョブの発行の要求がなされた場合、所定の情報を付加してジョブを発行するＷｅｂアプリケーションサーバと、受信したジョブに前記所定の情報が付加されている場合、第１のジョブキューに当該ジョブを登録し、受信したジョブに前記所定の情報が付加されていない場合、前記第１のジョブキューよりも優先順位が低い第２のジョブキューに当該ジョブを登録するジョブ管理サーバとにネットワークを介して互いに接続されたジョブ処理装置であって、
ユーザが前記Ｗｅｂアプリケーションサーバにより提供されるＷｅｂアプリケーションを利用するための利用手段と、
前記ジョブ管理サーバが管理するジョブを処理する処理手段と
を有し、
前記処理手段は、前記第２のジョブキューに登録されたジョブより、前記第１のジョブキューに登録されたジョブを優先的に処理する処理手段を有することを特徴とするジョブ処理装置。
【請求項１３】
Ｗｅｂアプリケーションが利用され、ジョブの発行の要求がなされた場合、所定の情報を付加してジョブを発行するＷｅｂアプリケーションサーバと、ジョブ処理装置とにネットワークを介して接続されたジョブ管理サーバの制御方法であって、
受信したジョブに、前記所定の情報が付加されている場合、第１のジョブキューに当該ジョブを登録し、受信したジョブに前記所定の情報が付加されていない場合、前記第１のジョブキューよりも優先順位が低い第２のジョブキューに当該ジョブを登録する登録工程と、
ユーザが前記ジョブ処理装置を介して前記Ｗｅｂアプリケーションを利用している間、前記ジョブ処理装置からの要求に従い、前記第１のジョブキューに登録されたジョブを送信する送信工程と、
を有することを特徴とする制御方法。
【請求項１４】
Ｗｅｂアプリケーションが利用され、ジョブの発行の要求がなされた場合、所定の情報を付加してジョブを発行するＷｅｂアプリケーションサーバと、受信したジョブに前記所定の情報が付加されている場合、第１のジョブキューに当該ジョブを登録し、受信したジョブに前記所定の情報が付加されていない場合、前記第１のジョブキューよりも優先順位が低い第２のジョブキューに当該ジョブを登録するジョブ管理サーバとにネットワークを介して互いに接続されたジョブ処理装置の制御方法であって、
前記ジョブ処理装置は、ユーザが前記Ｗｅｂアプリケーションサーバにより提供されるＷｅｂアプリケーションを利用するための利用手段を備え、
前記第２のジョブキューに登録されたジョブより、前記第１のジョブキューに登録されたジョブを優先的に処理する処理工程を有することを特徴とする制御方法。
【請求項１５】
Ｗｅｂアプリケーションが利用され、ジョブの発行の要求がなされた場合、所定の情報を付加してジョブを発行するＷｅｂアプリケーションサーバと、ジョブ処理装置とにネットワークを介して接続されたコンピュータを、
受信したジョブに、前記所定の情報が付加されている場合、第１のジョブキューに当該ジョブを登録し、受信したジョブに前記所定の情報が付加されていない場合、前記第１のジョブキューよりも優先順位が低い第２のジョブキューに当該ジョブを登録する登録手段、
ユーザが前記ジョブ処理装置を介して前記Ｗｅｂアプリケーションを利用している間、前記ジョブ処理装置からの要求に従い、前記第１のジョブキューに登録されたジョブを送信する送信手段、
として機能させるためのプログラム。
【請求項１６】
Ｗｅｂアプリケーションが利用され、ジョブの発行の要求がなされた場合、所定の情報を付加してジョブを発行するＷｅｂアプリケーションサーバと、受信したジョブに前記所定の情報が付加されている場合、第１のジョブキューに当該ジョブを登録し、受信したジョブに前記所定の情報が付加されていない場合、前記第１のジョブキューよりも優先順位が低い第２のジョブキューに当該ジョブを登録するジョブ管理サーバとにネットワークを介して互いに接続されたコンピュータを、
ユーザが前記Ｗｅｂアプリケーションサーバにより提供されるＷｅｂアプリケーションを利用するための利用手段、
前記ジョブ管理サーバが管理する処理手段
として機能させるためのプログラムであって、
前記処理手段は、ユーザが前記利用手段を用いて前記Ｗｅｂアプリケーションを利用している間、前記第２のジョブキューに登録されたジョブより、前記第１のジョブキューに登録されたジョブを優先的に処理することを特徴とするプログラム。
【請求項１７】
ネットワークを介して互いに接続された１つ又は複数のサーバと、ジョブ処理装置とを含むシステムの制御方法であって、
前記ジョブ処理装置は、前記１つ又は複数のサーバのうちいずれかのサーバが提供するＷｅｂアプリケーションをユーザが利用するための利用手段を備え、
前記利用手段を介して前記Ｗｅｂアプリケーションが利用され、ジョブの発行の要求がなされた場合、ジョブを発行する発行工程と、
Ｗｅｂアプリケーションが利用されて発行されたジョブを第１のジョブキューに登録し、Ｗｅｂアプリケーションが利用されずに発行されたジョブを前記第１のジョブキューよりも優先順位が低い第２のジョブキューに登録する登録工程と、
前記第２のジョブキューに登録されたジョブより、前記第１のジョブキューに登録されたジョブを優先的に処理する処理工程と
を有することを特徴とする制御方法。
【手続補正２】
【補正対象書類名】明細書
【補正対象項目名】発明の名称
【補正方法】変更
【補正の内容】
【発明の名称】システムおよびその制御方法、ジョブ管理サーバおよびその制御方法、ジョブ処理装置およびその制御方法、及びプログラム
【手続補正３】
【補正対象書類名】明細書
【補正対象項目名】０００１
【補正方法】変更
【補正の内容】
【０００１】
本発明は、システムおよびその制御方法、ジョブ管理サーバおよびその制御方法、ジョブ処理装置およびその制御方法、及びプログラムに関する。
【手続補正４】
【補正対象書類名】明細書
【補正対象項目名】００１２
【補正方法】変更
【補正の内容】
【００１２】
上記課題を解決するために本願発明は以下の構成を有する。すなわち、
ネットワークを介して互いに接続されたＷｅｂアプリケーションサーバと、ジョブ管理サーバと、ジョブ処理装置とを含むシステムであって、
前記ジョブ処理装置は、ユーザが前記Ｗｅｂアプリケーションサーバにより提供されるＷｅｂアプリケーションを利用するための利用手段を備え、
前記Ｗｅｂアプリケーションサーバは、
前記利用手段を介して前記Ｗｅｂアプリケーションが利用され、ジョブの発行の要求がなされた場合、所定の情報を付加してジョブを発行する発行手段と、
前記発行したジョブを前記ジョブ管理サーバに送信する送信手段と
を有し、
前記ジョブ管理サーバは、
受信したジョブに前記所定の情報が付加されている場合、第１のジョブキューに当該ジョブを登録し、前記ジョブに前記所定の情報が付加されていない場合、前記第１のジョブキューよりも優先順位が低い第２のジョブキューに当該ジョブを登録する登録手段と、
ジョブキューに登録されたジョブを前記ジョブ処理装置へ送信する手段と、
を有し、
前記ジョブ処理装置は、
前記ジョブキューに登録されたジョブを処理する処理手段を有し、
前記処理手段は、前記第２のジョブキューに登録されたジョブより、前記第１のジョブキューに登録されたジョブを優先的に処理する。